(57)【要約】      （修正有）【課題】肩掛けとしての本来の用途以外の多用途にも使用可能なストールを提供する。【解決手段】第１、第２の同一形状の長方形生地２，３で構成し、第１、第２の長方形生地の長手方向に沿った第１の側端の端縁には第１所定個数のボタン５を、長手方向に沿った第２の側端２ａ，２ｂ，３ａ，３ｂの端縁には同じ数のボタン穴６を等間隔に列設する。第１、第２の長方形生地を第１の側端を上側にして横置きした場合の長手方向右端となる第３の側端の端縁には第１の長方形生地に第２所定個数のボタンを、第２の長方形生地の第３の側端の端縁に同じ数のボタン穴を等間隔に列設し、第１の長方形生地の第３の側端のボタンを第２の長方形生地の第３の側端のボタン穴に掛け止めする。【選択図】図１
0003157506.tif 000002
【実用新案登録請求の範囲】
【請求項１】
肩掛け以外の多用途にも使用可能なストールであって、
同一外形の第１、第２の長方形生地から構成され、
第１、第２の長方形生地における長手方向に沿った第１の側端の端縁には第１所定個数のボタンが等間隔に、長手方向に沿った第２の側端の端縁には前記第１所定個数と同じ数のボタン穴が等間隔に列設してあり、
第１、第２の長方形生地を前記第１の側端を上側にして横置きした場合の長手方向右端となる側端を第３の側端とするとき、前記第１の長方形生地の第３の側端の端縁には第２所定個数のボタンが等間隔に、第２の長方形生地の第３の側端の端縁には第２所定個数のボタン穴が等間隔に列設してあり、
前記第１の長方形生地の第３の側端の端縁に列設してある第２所定個数のボタンを第２の長方形生地の第３の側端の端縁に列設してある第２所定個数のボタン穴に掛け止めすることにより第１、第２の長方形生地を長手方向に繋いで構成してあることを特徴とするストール。
【請求項２】
請求項１に記載のストールにおいて、前記第１所定個数のボタンに代えて第１の側端の長さに等しい面ファスナーのフック面側が、前記第１所定個数のボタン穴に代えて同じ長さの面ファスナーのループ面側が取り付けてあり、
同じく前記第２所定個数のボタンに代えて第３の側端の長さに等しい面ファスナーのフック面側が、前記第２所定個数のボタン穴に代えて同じ長さの面ファスナーのループ面側が取り付けてあり、
前記各面ファスナーのループ面側は、フック面側が取り付けられる生地面とは反対の裏面側に取り付けてあることを特徴とするストール。
【考案の詳細な説明】
【技術分野】
【０００１】
本考案は婦人が肩掛けとして使用するストールであって、肩掛けという本来の用途以外にカーディガン、ボレロ、頭巾、ひざ掛け、スカーフ、マフラー等の多用途に使用できる多用途ストールに関する。
【背景技術】
【０００２】
ストールは絹布、ウール、綿布等を素材とする細長い布地で構成された肩掛けであり、婦人が防寒、装飾用に首から肩に掛けて着用するものである。ストールは本来の肩掛け用途以外にマフラー、膝掛け等として使用されることもあることから、そうした肩掛け以外の用途にも使用し易いように工夫を凝らしたストールが各種提案されている。
【０００３】
例えば、特許文献１には、帯状布地の中央部分の一方の側縁左右に互いに咬合するファスナーの各一方を装着したことを特徴とするマフラーが開示されている。このマフラーはファスナーを咬合させると、二つ折り頂部が頭巾形状になって頭巾として使用できる。このストールは肩掛け、マフラーといった本来の用途の他には頭巾用としてしか利便性がない。
【０００４】
また、特許文献２には平たく潰した状態で長方形状となる生地を長手方向に沿って半分の幅に折り返し、長手方向の両端部から中央に向かつての所定領域部の折り返し縁部を縫い合わせて筒状に形成したストールが開示されている。このストールの場合、中央部分を首および肩部に巻きつけ、左右両端の筒状部に腕を通すことで首、肩、腕の３個所を同時に防寒できる利点がある。しかし、このストールの場合は腕の防寒用としての利便性しかない。
【０００５】
また、特許文献３には長方形に形成した生地の長手方向の一側端に沿って折返縁を縫着して紐孔を設け、その紐孔に紐を挿通し、紐の両端部を所要長さ突出させると共に紐センター部は折返縁に止着し、紐止着部の両側には所定間隔をおいて一方の側には折返縁に沿って数個のボタンを列設し、他側にはそのボタンを掛け止めできるボタン止めループを列設すると共に、紐孔と反対側の端縁にも前記ボタン及びボタン止めループに夫々対応する位置に相互に掛け止めできるボタン止めループ及びボタンを夫々列設したストールが開示されている。このストールの場合はカーディガン、ケープ、チューブトップ、ボレロ、スカート等としても使用できる利点がある。しかし、紐の取り付け構造が複雑である上、ストール両端から紐が突出しているため本来のストールとして使用した場合には見栄えが悪い。また、ひざ掛けとして使用するには幅が狭すぎる欠点がある。
【先行技術文献】
【特許文献】
【０００６】
【特許文献１】特開２００４−２７３９１号公報
【特許文献２】実用開平０６−３４３２６号公報
【特許文献３】実登３１３３２８１号
【考案の開示】
【考案が解決しようとする課題】
【０００７】
本考案は、従来技術のこうした問題点を解決するためになされたもので、その課題は
ストールとしての本来の肩掛け用途以外にカーディガン、ボレロ、頭巾、ひざ掛け、スカーフ、マフラー等の多用途に使用可能なストールを提供することにある。
【課題を解決するための手段】
【０００８】
前記課題を解決するための請求項１に記載の考案は、肩掛け以外の多用途にも使用可能なストールであって、同一外形の第１、第２の長方形生地から構成され、第１、第２の長方形生地における長手方向に沿った第１の側端の端縁には第１所定個数のボタンが等間隔に、長手方向に沿った第２の側端の端縁には第１所定個数と同じ数のボタン穴が等間隔に列設してあり、第１、第２の長方形生地を第１の側端を上側にして横置きした場合の長手方向右端となる側端を第３の側端とするとき、第１の長方形生地の第３の側端の端縁には第２所定個数のボタンが等間隔に、第２の長方形生地の第３の側端の端縁には第２所定個数のボタン穴が等間隔に列設してあり、第１の長方形生地の第３の側端の端縁に列設してある第２所定個数のボタンを第２の長方形生地の第３の側端の端縁に列設してある第２所定個数のボタン穴に掛け止めすることにより第１、第２の長方形生地を長手方向に繋いで構成してあることを特徴とするストールである。
【０００９】
このような構成のストールは本来の肩掛けとしての用途の他、第１、第２の長方形生地の側端に設けたボタンとボタン穴の掛け止めの組合せを変えることによりカーディガン、ボレロ、頭巾、ひざ掛け、スカート等の種々の用途に使用することができる。
【００１０】
また、請求項２に記載の考案は、請求項１に記載のストールにおいて第１所定個数のボタンに代えて第１の側端の長さに等しい面ファスナーのフック面側が、第１所定個数のボタン穴に代えて同じ長さの面ファスナーのループ面側が取り付けてあり、同じく第２所定個数のボタンに代えて第３の側端の長さに等しい面ファスナーのフック面側が、第２所定個数のボタン穴に代えて同じ長さの面ファスナーのループ面側が取り付けてあり、各面ファスナーのループ面側はフック面側が取り付けられる生地面とは反対の裏面側に取り付けてあることを特徴とするストールである。
【００１１】
このような構成のストールも本来の肩掛けとしての用途の他、第１、第２の長方形生地の側端に設けた面ファスナーのループ面側とフック面側ボタンの係合の組合せを変えることによりカーディガン、ボレロ、頭巾、ひざ掛け、スカート等の種々の用途に使用することができる。
【図面の簡単な説明】
【００１２】
【図１】第１の実施形態に係るストール１の構成図である。
【図２】ストール１を構成する第１、第２の長方形生地２、３の構成図である。
【図３】ストール１のカーディガンとしての使用例である。
【図４】ストール１のボレロとしての使用例である。
【図５】ストール１の頭巾としての使用例である。
【図６】ストール１を幅広に繋いだ状態の外観図である。
【図７】ストール１のひざ掛けとしての使用例である。
【図８】ストール１の身体から外れないひざ掛け又はスカートとしての使用例である。
【図９】第２の実施形態に係るストールを構成する第１、第２の長方形生地１２、１３の構成図である。
【図１０】第２の実施形態に係るストール１０の構成図である。
【考案を実施するための形態】
【００１３】
以下、本考案に係るストールの構成例を実施形態に分けて説明する。
（第１の実施形態）
図１は本実施形態のストール１を本来の用途である肩掛けとして使用する場合の構成図である。このストール１は図２に示すような第１、第２の二つの長方形生地２、３を長手方向にボタン構造で繋いで構成されている。図１は、図２中の第２の長方形生地３を１８０°旋回させて第１の長方形生地２の右側端に繋いだ状態である。
【００１４】
第１、第２の長方形生地２、３は、絹布、ウール、綿布等を素材として製作してある。第１、第２の長方形生地２、３の外形寸法は同じで、長手方向は約１００ｃｍ、幅方向は約５０ｃｍである。図２に示すように第１、第２の長方形生地２、３を横長に置いた場合の長手方向に沿った上側の側端を第１の側端２ａ、３ａと、下側の側端を第２の側端２ｂ、３ｂと、右側の側端を第３の側端２ｃ、３ｃと呼ぶことにする。
【００１５】
第１、第２の長方形生地２、３の前記第１の側端２ａ、３ａの端縁には、所定個数（第１所定個数）のボタン５が等間隔に列設してある。第１の側端２ａ、３ａに対向する前記第２の側端２ｂ、３ｂの端縁には、同じ第１所定個数のボタン穴６が等間隔に列設してある。ボタン穴６はボタン５を掛け止めできる大きさに作られている。
【００１６】
第１長方形生地２の前記第３の側端２ｃの端縁には、所定個数（第２所定個数）のボタン５が等間隔に列設してあり、第２長方形生地２の前記第３の側端３ｃの端縁には、同じ第２所定個数のボタン穴６が等間隔に列設してある。
【００１７】
本実施形態のストール１はこのような比較的簡単な構成のものであるが、複数の側端のボタン５とボタン穴６の掛け止めの組合せを変えることにより種々の用途に使用することができる。以下、その用途例を説明する。
【００１８】
図２に示した第２の長方形生地３を１８０°旋回させ、第１の長方形生地２の第３の側端２ｃの端縁に列設されたボタン５を第２の長方形生地３の第３の側端３ｃの端縁に列設されたボタン穴６に掛け止めすると図１に示すようなストール１となる。この状態のストール１は本来の用途である肩掛けと使用できる。また、このように長手方向に繋いだ状態のストール１はマフラーとしても使用できる。幅が広すぎる場合は幅中央で二つ折りして首に巻いて使用する。
【００１９】
図３に示すように長手方向に繋いだストール１の長手方向繋ぎ部分を背中に当てるようにして肩に掛け、身体前側で側端のボタン５をボタン穴６に掛け止めすればカーディガンとして使用できる。また、図４に示すように長手方向両端部の複数のボタン５を対向する反対側のボタン穴６に掛け止めして両端に筒状部を形成し、長手方向繋ぎ部分を肩掛けして筒状部に手を通せばボレロとして使用できる。
【００２０】
また、図５に示すように長手方向に繋いだストール１を繋ぎ部分で二つ折りし、繋ぎ部分に近い片側側端のボタン５をボタン穴６に掛け止めすれば頭巾形状のフード部９が形成される。フード部９を頭部に被り、ストール１の両端部を首に巻き付けたり、身体前側で結んだり、垂れ下げて止め具で束ねたりすることで頭巾として使用できる。
【００２１】
また、図２に示した第１、第２の長方形生地２、３を図６に示すように幅方向に繋いで幅広にすれば別の用途が開ける。図６のように幅広に繋いだストール１は、図７に示すようなひざ掛けとして使用するのに好適である。また、幅広に繋いだストール１は図８に示すように腰に巻き付けた状態で第１の長方形生地２の第３の側端２ｃのボタン５を第２の長方形生地３の第３の側端３ｃのボタン穴６に掛け止めすれば身体から外れないひざ掛け、又はスカートとして使用できる。この他、繋がない状態の第１、第２の長方形生地２、３はスカーフとしても使用できる。
【００２２】
（第２の実施形態）
前記第１の実施形態のストール１では第１、第２の長方形生地２、３の繋ぎ合わせにボタン５とボタン穴６を利用した。これに対して本実施形態のストール１０では第１、第２の長方形生地１２、１３の繋ぎに面ファスナーを利用する。図９は本実施形態のストール１０を構成する第１、第２の長方形生地１２、１３の外形図である。
【００２３】
図２に示した第１の実施形態のストール１との比較で説明すると、ストール１においてボタン５を列設した側端の端縁表面にはボタンに代えて面ファスナーのフック面側１５を取り付け、ボタン穴６を列設した側端の端縁裏面にはボタン穴に代えて面ファスナーのループ面側１６が取り付けてある。フック面側１５とループ面側１６は入れ替えて取り付けてもよい。
【００２４】
このような構成によれば、例えば、第１、第２の長方形生地１２、１３を長手方向に繋ぐ場合には図１０に示すように第１の長方形生地１２の第３の側端２ｃの端縁表面に取り付けたフック面側を第２の長方形生地１３の第３の側端３ｃの端縁裏面に取り付けたループ面側に係合させる。同じような係合のさせ方をすることにより図３〜図５、図７、図８に示した使い方も可能である。
【符号の説明】
【００２５】
図面中、１、１０はストール、２、１２は第１の長方形生地、２ａ、３ａは第１の側端、２ｂ、３ｂは第２の側端、３、１３は第２の長方形生地、５はボタン、６はボタン穴、２ｃ、３ｃは第３の側端、１５は面ファスナーのフック面側、１６は面ファスナーのループ面側を示す。
【図１】
0003157506.tif 000003
【図２】
0003157506.tif 000004
【図３】
0003157506.tif 000005
【図４】
0003157506.tif 000006
【図５】
0003157506.tif 000007
【図６】
0003157506.tif 000008
【図７】
0003157506.tif 000009
【図８】
0003157506.tif 000010
【図９】
0003157506.tif 000011
【図１０】
0003157506.tif 000012